(57)【要約】【課題】ゴンドラ内の演出照明の変化を、外部からも視認させることができるようにし、乗客と観衆とが共に楽しむことができる観覧車、観衆又は乗客の操作により照明が変化する観覧車の提供を図る。【解決手段】複数のゴンドラ１６と、ゴンドラ１６を支持する構造体１２とを備えた観覧車１１において、ゴンドラ１６は、乗客が搭乗するキャビン内を照らす室内照明と、室内照明の光を変更する照明制御手段とを備える。照明制御手段は、室内照明の点灯状態を制御する点灯制御部と、点灯状態を変化させる元となる情報を取得する情報取得部とを備え、点灯制御部は、情報取得部により得られた情報に基づき、室内照明の点灯状態を変化させる。また、観衆又は乗客の操作により観覧車の外部照明を変化させるようにしてもよい。【選択図】図１
2017113295.tif 000002
【特許請求の範囲】
【請求項１】
複数のゴンドラと、前記ゴンドラを支持する構造体とを備えた観覧車において、
前記ゴンドラは、前記ゴンドラの乗客が搭乗するキャビン内を照らす室内照明と、前記室内照明の光を変更する照明制御手段とを備え、
前記照明制御手段により前記室内照明の点灯状態を変化させるように構成されたことを特徴とする観覧車。
【請求項２】
前記照明制御手段は、前記室内照明の点灯状態を制御する点灯制御部と、前記点灯状態を変化させる元となる情報を取得する情報取得部とを備え、
前記点灯制御部は、前記情報取得部により得られた情報に基づき、前記室内照明の点灯状態を変化させるように構成されたことを特徴とする請求項１に記載の観覧車。
【請求項３】
前記情報取得部は、センサを備え、
前記室内照明は、異なる色の光を発する複数の発光体を備え、
前記点灯制御部は、前記発光体の点灯状態を制御する構成を備え、
前記照明制御手段は、前記センサによる検知結果による情報を、前記発光体の点灯状態を決定する点灯パターン情報に変換するよう構成された情報制御部を備えたことを特徴とする請求項２に記載の観覧車。
【請求項４】
前記センサは前記乗客が持つことができるハンドリング部に備えられたことを特徴とする請求項３に記載の観覧車。
【請求項５】
前記ゴンドラは、前記室内照明の光を外部に透過させることができる透光部を備え、前記前記室内照明の点灯状態の変化が地上から視認できるように構成されたことを特徴とする請求項１〜４の何れかに記載の観覧車。
【請求項６】
前記キャビンの外側における前記ゴンドラの外部と前記構造体との少なくとも何れか一方に設けられた外部照明を備え、
前記照明制御手段は、前記室内照明の光と前記外部照明の光との双方の光を変更するものであることを特徴とする請求項１〜５の何れかに記載の観覧車。
【請求項７】
複数のゴンドラと、前記ゴンドラを支持する構造体とを備えた観覧車において、
前記構造体と前記ゴンドラとの少なくとも何れか一方の外部に、外部に向けて発光する外部照明を備え、
前記外部照明の光を変更する照明制御手段とを備え、
前記照明制御手段は、観衆と前記ゴンドラの乗客との少なくとも何れか一方が有する情報取得部から得られた情報に基づき、前記外部照明の点灯状態を変化させるように構成されたことを特徴とする観覧車。
【請求項８】
前記照明制御手段は、前記外部照明の点灯状態を制御する点灯制御部と、前記点灯状態を変化させる元となる情報を取得する情報取得部とを備え、
前記情報取得部は、前記観衆と前記乗客との少なくとも何れか一方が持つことができるハンドリング部に備えられ、
前記点灯制御部は、前記情報取得部により得られた情報に基づき、前記外部照明の点灯状態を変化させるように構成されたことを特徴とする請求項７に記載の観覧車。
【発明の詳細な説明】
【技術分野】
【０００１】
本発明は、観覧車に関するものである。
【背景技術】
【０００２】
従来、特許文献１や２に示すように、観覧車の回転輪や支柱などの構造体に電飾照明を施し、この電飾照明を種々の制御によって可変として、観衆を楽しませたり、種々の情報を提供できるようにしたものが提案されている。
また、特許文献３にあっては、ゴンドラ本体の側面の外周面には、夜間に点灯するランプを設置することが示されている。
【０００３】
ところが、これらの提案は、いずれもゴンドラに搭乗した乗客が楽しむものではなく、乗客に対するサービスを向上させるものではなかった。特に、ゴンドラ内に照明を設けたものは提案されておらず、ましてや、ゴンドラ内の照明によって、ゴンドラ内を演出する演出照明手段を備えたものは提案されていない。
【０００４】
また、これらの提案は、いずれも観覧車の運行管理者が、観覧車の構造体やゴンドラの外部に設けられた外部照明の点灯状態を手動または自動で制御するに止まっており、乗客や観衆が制御するものではなかった。
【先行技術文献】
【特許文献】
【０００５】
【特許文献１】特開平１０−２１１３６４号公報
【特許文献２】特開２０００−２３３０８４号公報
【特許文献３】特開２００４−２０１９７１
【発明の概要】
【発明が解決しようとする課題】
【０００６】
本発明は、ゴンドラ内（座席下や床面、天井等）に照明を仕込み、演出照明としてゴンドラのキャビン内を演出することができる観覧車の提供を課題とする。
本発明は、ゴンドラ内の演出照明を、乗客自らの操作によって変化させることにより、演出効果に積極的に参加させることができるようにした観覧車の提供を課題とする。
【０００７】
本発明は、ゴンドラ内の演出照明の変化を、外部からも視認させることができるようにし、乗客と観衆とが共に楽しむことができる観覧車の提供を課題とする。
さらに本発明は、乗客自らの操作によって演出照明を変化させ、これが外部の同時に外部の観客からも視認させることにより、乗客自らが外部の観衆を楽しませるという積極的な乗客参加型のインタラクティブ性の高い観覧車の提供を課題とする。しかも、従来の構造体やゴンドラ外部での照明では、たとえその照明が変化しても、ゴンドラのキャビン内の乗客はその変化を十分に楽しむことは困難であったが、外部から視認される照明演出の変化とゴンドラのキャビン内の照明演出の変化とが一体となることによって、乗客自らが外部の観衆を楽しませる喜びと、乗客自らが演出照明を直接楽しむという喜びとを、同時に得ることができるようにしてインタラクティブ性をより一層高めた観覧車の提供を課題とする。
【０００８】
さらに本発明は、観覧車の運行管理者以外の乗客や観衆が、観覧車の構造体の外部照明の点灯状態を制御することを可能にして、観衆参加型のインタラクティブ性の高い観覧車の提供を課題とする。
【課題を解決するための手段】
【０００９】
本発明は、複数のゴンドラと、前記ゴンドラを支持する構造体とを備えた観覧車に関するものであって、前記ゴンドラは、前記ゴンドラの乗客が搭乗するキャビン内を照らす室内照明と、前記室内照明の光を変更する照明制御手段とを備え、前記照明制御手段により前記室内照明の点灯状態を変化させるように構成されたことを特徴とするものを提供することにより、上記の課題を解決する。
【００１０】
前記照明制御手段は、前記室内照明の点灯状態を制御する点灯制御部と、前記点灯状態を変化させる元となる情報を取得する情報取得部とを備えたものとして実施することができる。前記点灯制御部は、前記情報取得部により得られた情報に基づき、前記室内照明の点灯状態を変化させるように構成される。
【００１１】
また、前記情報取得部はセンサを備え、前記室内照明は異なる色の光を発する複数の発光体を備え、前記点灯制御部は前記発光体の点灯状態を制御する構成を備えたものとすることができる。そして、前記照明制御手段は、前記センサによる検知結果による情報を、前記発光体の点灯状態を決定する点灯パターン情報に変換するよう構成された情報制御部を備えたものとすることができる。
【００１２】
また、前記センサは、種々の形態を採ることができるが、例えば、前記乗客が持つことができるハンドリング部に備えることも可能である。
そして、前記ゴンドラは、前記室内照明の光を外部に透過させることができる透光部を備え、前記前記室内照明の点灯状態の変化が地上から視認できるように構成されることによって、乗客と観衆とが共に楽しむことができる観覧車を提供することができる。
【００１３】
また、前記キャビンの外側における前記ゴンドラの外部と前記構造体との少なくとも何れか一方に設けられた外部照明を備え、前記照明制御手段は、前記室内照明の光と前記外部照明の光との双方の光を変更するものとして実施することもできる。
【００１４】
さらに本発明は、複数のゴンドラと、前記ゴンドラを支持する構造体とを備えた観覧車において、前記構造体と前記ゴンドラとの少なくとも何れか一方の外部に、外部に向けて発光する外部照明を備え、前記外部照明の光を変更する照明制御手段とを備え、前記照明制御手段は、観衆（特に観覧車の視認範囲内にある観衆）と前記ゴンドラの乗客との少なくとも何れか一方が有する情報取得部から得られた情報に基づき、前記外部照明の点灯状態を変化させるように構成されたことを特徴とする観覧車を提供する。
前記照明制御手段は、前記外部照明の点灯状態を制御する点灯制御部と、前記点灯状態を変化させる元となる情報を取得する情報取得部とを備え、前記情報取得部は、前記観覧車の視認範囲内又は視認範囲外の観衆と前記乗客との少なくとも何れか一方が持つことができるハンドリング部に備えられ、前記点灯制御部は、前記情報取得部により得られた情報に基づき、前記外部照明の点灯状態を変化させるように構成されたものとして実施することができる。
【発明の効果】
【００１５】
本発明は、演出照明としてゴンドラのキャビン内を演出することができる観覧車を提供することができたものである。
また本発明は、ゴンドラ内の演出照明を、乗客自らの操作によって変化させることにより、演出効果に積極的に参加させることができるようにした観覧車を提供することができたものである。
【００１６】
また本発明は、ゴンドラ内の演出照明の変化を、外部からも視認させることができるようにし、乗客と観衆とが共に楽しむことができる観覧車を提供することができたものである。
さらに本発明は、乗客自らの操作によって演出照明を変化させ、これが外部の同時に外部の観客からも視認させることにより、乗客自らが外部の観衆を楽しませるという積極的な乗客参加型のインタラクティブ性の高い観覧車を提供することができたものである。
しかも本発明は、外部から視認される照明演出の変化とゴンドラのキャビン内の照明演出の変化とが一体となることによって、乗客自らが外部の観衆を楽しませる喜びと、乗客自らが演出照明を直接楽しむという喜びとを、同時に得ることができるようにして実施することができるものであり、インタラクティブ性をより一層高めた観覧車の提供をすることができたものである。
【００１７】
さらに本発明は、観覧車の運行管理者以外の乗客や観衆が、観覧車の構造体の外部照明の点灯状態を制御することを可能にして、観覧車における観衆参加型のインタラクティブ性の向上を図ることができたものである。
【図面の簡単な説明】
【００１８】
【図１】本発明の第１の実施の形態に係る観覧車の正面図である。
【図２】同観覧車のゴンドラの内部構造を示すもので（Ａ）は正面図、（Ｂ）は側面図である。
【図３】同観覧車の他のゴンドラの内部構造を示すもので（Ａ）は正面図、（Ｂ）は側面図である。
【図４】同観覧車の照明制御手段の説明図である。
【図５】本発明の第２の実施の形態に係る観覧車の照明制御手段の説明図である。
【発明を実施するための形態】
【００１９】
以下、図面に基づき本発明の実施の形態を説明する。
（観覧車１１の概要について）
本発明の実施の形態に係る観覧車１１は、回転体１３とこれを支持する支柱などの構造体１２とを備え、さらにプラットフォーム、回転体１３の回転駆動手段（図示せず）、運行のための種々の管理設備（図示せず）及び電源設備（図示せず）などの付帯設備１５を備える。この例では回転体１３としてゴンドラ１６を吊り下げる回転アーム１４を備えたものを示したが、回転アーム１４ではなくチェーンドライブなどでゴンドラ１６を支持するものであってもよい。すなわち本発明の観覧車１１は、多数のゴンドラ１６を高所にまで循環移動させるものを含むものである。
【００２０】
（ゴンドラ１６について）
ゴンドラ１６は、図２に示すように、外壁などのゴンドラ外部２１と、乗客が搭乗する室内のキャビン２２とを備える。
キャビン２２は、天井２３、床２４、壁２５及び扉２６を備え、乗客は扉２６から乗り降りして座席２７に座ったり床２４に立ったりして窓２８から外部の風景などを楽しむ。
【００２１】
（室内照明３０について）
以上は通常の観覧車１１と変わるところはないが、本発明のゴンドラ１６は照明制御手段３１（図４参照）により制御される室内照明３０を備えていることを特徴とする。図２の例では室内照明３０として天井２３に発光体３２が設けられ、図３の例では室内照明３０として床２４の下や座席２７の下に発光体３２が設けられている。これらの発光体３２は、ＬＥＤランプやエレクトロルミネッセンスライトなどであってもよく、蛍光灯などでもかまわないが、照明による演出効果を創出するためには赤、緑、青の３色の光源を備え、その発光状態を制御することによって種々の色や照度に変化させることができるものであることが好ましい。なお、赤、緑、青の３色の光源は外観上１つのランプ内に収められていてもよく、それぞれが個別の発光体であってもよい。
なお図示は省略するが、発光体３２は窓２８の縁や壁２５や扉２６など、キャビン２２内の適宜場所に設けることができる。
【００２２】
（室内照明３０によるゴンドラ１６内外の照明効果について）
室内照明３０は発光体３２の発光状態を様々に変化させることにより室内の演出照明としてキャビン２２内を演出して乗客を楽しませることができる。
【００２３】
これらの発光体３２は、その光が外部から実質的に見えないものでもかまわないが、透光部４１から外部に透過させることによってゴンドラ１６内の演出照明の変化を、外部からも視認させることができるようにし、乗客と観衆とが共に楽しむことができるようにしてもよい。
【００２４】
図２の例では室内照明３０として天井２３に発光体３２が設けられているため、その下方にある窓２８が透光部４１となって、地上の観客にも発光状態の変化を視認させることができる。
図３の例では室内照明３０として床２４の下や座席２７の下に発光体３２が設けられているため、床２４や座席２７周辺の壁や床を透明又は半透明の透光部４１にすることによって、地上の観客にも発光状態の変化を視認させることができる。
これによって、図１の上半分のゴンドラ１６に示すように、ゴンドラ１６が様々な色に変化して光っていることを地上の観客にも視認させ、観覧車１１全体の照明効果の向上に資することができるようになる。
【００２５】
（照明制御手段３１について）
次に図４を参照して、照明制御手段３１の一例を説明する。この例では照明制御手段３１は、発光体３２と、発光体３２の点灯状態を直接制御する点灯制御部３３と、発光体３２の点灯状態を変化させる元となる情報を取得する情報取得部３５と、情報取得部３５からの情報を発光体３２の点灯状態を決定する点灯パターン情報に変換する情報制御部３４とを備えており、情報制御部３４からの点灯パターン情報に基づき点灯制御部３３が発光体３２の発光状態を変化させることによって、様々の光色や照度に照明状態を変化させることができる。
【００２６】
情報取得部３５は、種々のセンサ３６と、このセンサ３６を制御してその検知信号を情報制御部３４に伝えるセンサ制御部３７とを備えたものとして実施することができる。点灯制御部３３、情報制御部３４及びセンサ制御部３７の各制御部は、その処理の種類に応じてマイコンやＣＰＵを備えたものであってよく、単なるスイッチング回路などを用いてもかまわない。また点灯制御部３３、情報制御部３４及びセンサ制御部３７の各制御部は、１つの筐体に収められたものや同一の基盤上に搭載されたものでもよく或いは共通のＣＰＵによって制御されたものなどの一体化されたものでもよいが、これら一体化ではなく別体化されたものであってもよく、点灯制御部３３と情報制御部３４とが一体化され、センサ制御部３７のみが別体化されたものであってもよく、情報制御部３４とセンサ制御部３７とが一体化され、点灯制御部３３のみが別体化されたものであってもよい。またセンサ３６とセンサ制御部３７との関係や、点灯制御部３３と発光体３２との関係についても、一体化と別体化とは適宜選択して実施することができる。また別体化された場合には、情報や信号の伝達に有線や無線の接続手段が用いられるし、インターネットを介して接続するものであってもかまわない。無線の場合には、無線通信規格を採用して実施することができ、一例として赤外線通信や、Bluetooth（登録商標）などの近距離無線通信規格を例示することができる。また、スマートフォンやモバイル端末機器を有線又はWifi（登録商標）などの無線でインターネットに接続してこれを介して上記の接続をなすこともできると共に、点灯制御部３３、情報制御部３４及びセンサ制御部３７の制御部のうち少なくとも１つとして、スマートフォンやモバイル端末機器を用いることもできる。またセンサ３６としてスマートフォンやモバイル端末機器に搭載されたセンサを用いることもできる。
【００２７】
（乗客参加型のインタラクティブ性の向上について）
例えば、情報取得部３５は、乗客が持って扱うことができるハンドリング部３８に設けることができる。図４では、一例として魔法の杖に見立てることができるスティック状の物を示した。そしてハンドリング部３８として加速度センサを採用した。これによって、ハンドリング部３８を乗客が振ると、その動きをセンサ３６が検知し、センサ制御部３７がその検知結果をデジタル情報としてBluetooth（登録商標）などの近距離無線通信手段で情報制御部３４に送る。情報制御部３４はその情報を、発光体３２の点灯状態を決定する点灯パターン情報に変換して点灯制御部３３に送る。その際、情報制御部３４を点灯制御部３３と一体化するか別体であっても近くに配置することで、情報制御部３４と点灯制御部３３との間は有線の通信手段とすることができるが、もちろん無線の通信手段であってもかまわない。最後にこの点灯パターン情報に基づき点灯制御部３３が発光体３２の点灯状態を変化させる。これによって、ハンドリング部３８を振った乗客は、あたかも自分が魔法の杖を操って、発光体３２を様々の光色や照度の照明状態に変化させたような楽しみを得ることができる。
【００２８】
さらに図２や図３に示したように、発光体３２の照明状態に変化を外部の観客にも視認できる構成とすることによって、乗客自らが外部の観衆を楽しませるという積極的な乗客参加型のインタラクティブ性の高い観覧車１１の提供を可能にした。しかも、従来の構造体１２やゴンドラ１６の外部での照明では、たとえその照明が変化しても、キャビン２２内の乗客はその変化を十分に楽しむことは困難であったが、乗客自らが振るなどしたハンドリング部３８により、キャビン２２内の照明演出の変化した結果が外部にも表現されるため、乗客は内外の照明演出の変化を同時に楽しむことができる。
【００２９】
なおハンドリング部３８などに備えられた情報取得部３５は、魔法の杖のようにキャビン２２内に置いてあったり搭乗時に係員から渡されたりするものであってもよく、魔法の鏡のようにキャビン２２内に固定されたものであってもよく、乗客の持参するスマートフォンなどの持ち込み品であってもよい。
【００３０】
（他の使用例）
他の使用例としては、次に掲げるものなどを示すことができる。
【００３１】
・画像センシング（顔認証）のセンサ３６を鏡状のハンドリング部３８に搭載し、笑顔なら暖色系、普通なら白色、怒顔なら赤色点滅、悲顔なら寒色系などとなるように発光体３２の発光状態を変化させる。
・センサ３６として圧力センサを採用し、これを座席２７の下などに配置し、乗客が着座すると発光体３２が点灯するようにする。また乗客が対面して着座したか、横並びで着座したかなどの条件の変化で、発光体３２の発色パターンを変えるようにする。
【００３２】
・ハンドリング部３８は、杖状でなくてもよく、他の形状であってもよく、スマートフォンなどのモバイル機器であってもよいが、ハンドリング部３８を振る、傾ける、叩く、擦るなどの操作をすることで、発光体３２の発色パターンを変える。
・夜景観賞のため、ハンドリング部３８に対してノーアクションの状態や、もしくは何らかのアクションにより、室内照明３０を消灯するようにする。
・夜間ゴンドラ内では、窓２８のガラスの反射などにより、被写体（乗客と夜景）をきれいに撮影することが難しいが、室内照明３０の照度を通常の照明よりも照度を低下させた夜景撮影モードとなるように予め設定しておく。この夜景撮影モードの室内照明３０の点灯によって、フラッシュを光らせない通常の撮影によっても乗客を撮影できるようにするとともに手ぶれの発生を抑制し、且つ、窓ガラスの反射が抑制された夜景を乗客とともに撮影することができるようにすることもできる。
・照明の変化に合わせ、音楽、効果音、音声なども再生させ、演出する。
【００３３】
（センサ３６について）
上記説明から理解されるようにセンサ３６には種々のセンサを用いることができる。例えば、加速度センサ、ジャイロセンサ、傾斜センサ、位置情報確認システム、温度センサ、湿度センサ、音センサ、圧力センサ、静電センサ、赤外線センサ、紫外線センサ、可視光センサ、光学センサ、超音波センサ、照度センサ、動体センサ、磁気センサ、味覚センサ、ガスセンサ、PHセンサ、においセンサ、指紋認証、虹彩認証、脈流センサ、筋電位センサ、心電位センサ、画像認識システム、(QR形状、色調など)を示すことができる。また情報取得部３５は必ずしもセンサを備える必要はなく、ボタンスイッチ、リミットスイッチ、ジョイスティックなどのスイッチ類であってもよく、SNS、Emal、ゲーム、インターネットサイトなど外部プログラムや情報を取得することができるもので構成してもよく、その情報を元にして点灯状態を変化させるものであってもよい。外部情報としては気象情報や、緊急地震速報などの各種警報や、デジタルテレビ信号やデジタルラジオ信号やビーコンであってもよい。さらに、外部情報として観覧車の作業者などの乗車していない外部の人による操作によるものであってもよく、予めプログラムされた情報に基づき外部又はゴンドラ１６に搭載された部材（例えば、情報取得部３５、ハンドリング部３８や別途の景観案内用の装置など）から点灯状態を変更するものであってよい。また、外部情報のインターフェイスとしても情報の形態に応じた種々のものを採用でき、PCソフト(専用プログラム)、インターネットプログラム（Webブラウザ含む）、タブレット・スマホ専用アプリ、ゲーム機用プログラムなどを例示し得る。
従って、本発明を最も広義に解釈すると、乗物内部の照明の点灯状態を変化させ得る全てのものを含むものであり、その変更が手動でなされる場合も自動でなされる場合も含むものである。
【００３４】
（外部照明について）
また本発明は、キャビン２２の外側におけるゴンドラ１６の外部や観覧車１１（構造体１２、回転体１３、その他付帯設備１５を含む）に外部照明（図示せず）を備えたものとし、照明制御手段３１によって室内照明３０のみならず外部照明の点灯状態を変更するものとして実施することもできる。この外部照明についても、室内照明３０と共に変更されるものについては、人の操作によるものであっても、外部情報によるものであっても、その他、上記のセンサに関する説明と同様の手段で変更されるものを含むものである。
例えば、各ゴンドラ１６の外壁と、各ゴンドラ１６を吊り下げる各回転アーム１４との少なくとも何れか一方を、それぞれのゴンドラ１６における照明制御手段３１にて制御させることができる。これによって、例えば、魔法の杖状のハンドリング部３８を振ることによって、自らが搭乗したゴンドラ１６とこれを吊り下げる回転アーム１４とを、種々の発光色に変化させることができるようになり、まさしく乗客の一人ひとりが魔法の杖を持って観覧車の照明を自由に操るといった感動の体験を乗客に味わってもらうことも可能となる。
【００３５】
（他の実施の形態に係る観覧車１１について）
図５に示す実施の形態に係る観覧車１１は、先の例と同様、回転体とこれを支持する構造体とを備え、さらにプラットフォームや回転体の回転駆動手段（図示せず）や運行のための種々の管理設備（図示せず）や電源設備（図示せず）などの付帯設備を備える。観覧車１１は先の例と同様に多数のゴンドラ１６を高所にまで循環移動させるものであればいい。
観覧車１１のこれらの構造体、回転体、ゴンドラ１６の外壁、付帯設備などに外部照明５０が設置されている。
【００３６】
（外部照明５０について）
外部照明５０は、従来の観覧車に設けられたものと同様のものでよく、ネオンサイン、ＬＥＤランプ、エレクトロルミネッセンスライト、アーク灯などの種々の発光体を、これらの設備に設けて照明効果を示すものとして実施し得る他、投光機などのこれらの設備以外の場所に設置されて観覧車１１や付帯設備を照らすものも含む。
外部照明５０は発光体５２の発光状態を様々に変化させることにより外部の演出照明として観客や乗客を楽しませることができる。
【００３７】
（照明制御手段５１について）
図５に示す例では、照明制御手段５１は、発光体５２と、発光体５２の点灯状態を直接制御する点灯制御部５３と、発光体５２の点灯状態を変化させる元となる情報を取得する情報取得部５５と、情報取得部５５からの情報を発光体５２の点灯状態を決定する点灯パターン情報に変換する情報制御部５４とを備えており、情報制御部５４からの点灯パターン情報に基づき点灯制御部５３が発光体５２の発光状態を変化させることによって、様々の色や照度に照明状態を変化させることができる。
【００３８】
情報取得部５５は、種々の乗客センサ５６と、この乗客センサ５６を制御してその検知信号を情報制御部５４に伝えるセンサ制御部５７とを備えたものとして実施することができる。点灯制御部５３、情報制御部５４及びセンサ制御部５７の各制御部は、その処理の種類に応じてマイコンやＣＰＵを備えたものであってよく、単なるスイッチング回路などを用いてもかまわない。
【００３９】
また点灯制御部５３、情報制御部５４及びセンサ制御部５７の各制御部は、一連の制御を連携して行うものであるが、別体の筐体に収められて実施することができる。
センサ制御部５７を備えた情報取得部５５は、観客や乗客が持つことができるハンドリング部５８や、遊園地内の適当な場所（例えば観覧車１１の正面などの観覧車１１を直接或いは大型スクリーンなどで間接的に見ることができる場所）に設置されるため、点灯制御部５３とは異なる筐体に設けられることが適当である。
【００４０】
情報制御部５４については、情報取得部５５と点灯制御部５３との何れかに一体化されたものでもよく、情報制御部５４の機能を２分して、そのそれぞれを情報取得部５５と点灯制御部５３とに分離して配置してもよい。
【００４１】
別体化された制御部間の情報や信号の伝達には有線や無線の接続手段が用いられるし、インターネットを介して接続するものであってもかまわない。無線の場合には、無線通信規格を採用して実施することができ、一例として赤外線通信や、Bluetooth（登録商標）などの無線通信規格を例示することができる。また、スマートフォンやモバイル端末機器を有線又はWifi（登録商標）などの無線でインターネットに接続してこれを介して上記の接続をなすこともできると共に点灯制御部５３、情報制御部５４及びセンサ制御部５７の各制御部のうち少なくとも１つをスマートフォンやモバイル端末機器として用いることもできる。また情報取得部５５の乗客センサ５６としてスマートフォンやモバイル端末機器に搭載されたセンサを用いることもできる。
【００４２】
（観衆参加型のインタラクティブ性の向上について）
例えば、情報取得部５５は、観客や乗客などの観衆（施設管理者以外の者）が持って扱うことができるハンドリング部５８に設けることができる。図５では、一例として魔法の杖に見立てることができるスティック状の物を示し、ハンドリング部５８として加速度センサを採用したが、観衆が持っているスマートフォンであってもよい。これによって、ハンドリング部５８を観衆が振ると、その動きをハンドリング部５８が検知し、センサ制御部５７がその検知結果をインターネットや無線または通信手段で情報制御部５４に送る。情報制御部５４はその情報を、発光体５２の点灯状態を決定する点灯パターン情報に変換して情報取得部５５に送る。その際、情報制御部５４を情報取得部５５と一体化するか別体であっても近くに配置することで、情報制御部５４と情報取得部５５との間は有線の通信手段とすることができるが、もちろん無線の通信手段であってもかまわない。最後にこの点灯パターン情報に基づき情報取得部５５が発光体５２の点灯状態を変化させる。これによって、ハンドリング部５８を振った観衆は、あたかも自分が魔法の杖を操って、発光体５２が設置された外部照明５０を様々の色や照度の照明状態に変化させたような楽しみを得ることができる。
【００４３】
なお、点灯制御部５３は通常の観覧車１１の管理に関しては、管理者が扱うコンピュータや電源スイッチによって制御されているが、これらの管理者による制御は、上記のように観衆が外部照明５０の点灯を制御するに際しては、一時的に切断されることになる。その実施に際しては、管理者が扱うコンピュータのプログラムを変更して、観衆による点灯制御部５３の制御プログラムを組み込んだものとして実施することが望ましいが、両者を互いに独立したプログラムとして実施することもできる。なお、いずれの場合でも、観衆による乱用を防止するために、管理者による制御に強制的に戻す手段を設けておくことが適当である。
【００４４】
情報取得部５５は、魔法の杖のように観衆が持てるハンドリング部５８に設けることができるが、会場内の適宜場所に設置したものであってもよい。また先の実施の形態にて（他の使用例）や（乗客センサ３６について）について示した種々の情報取得手段および情報源を採用することができる。
【００４５】
以上のようにこの実施の形態に係る観覧車１１では、観覧車１１を見ている観客や搭乗している乗客などの観衆が、観覧車の照明を自由に操るといった感動の体験を得ることができる。勿論、多数の観衆が同時に制御することは困難であるが、多数の観衆が投票した色や点灯パターンのうち最も多数の投票を得た色や点灯パターンにて外部照明５０を変化させたりすることもできるし、抽選などで選ばれた特定の人のみが外部照明５０を変化させたりすることもできる。
【００４６】
なお、第１の実施の形態と第２の実施の形態とは、互いに障害を生じない範囲で併用することができる。観衆には、テレビ中継やインターネットを介して観覧車１１を見ることができる者も含め得るが、遊園地内などの特定地域内や観覧車１１を直接見ることができる者などに限って実施することもできる。
【符号の説明】
【００４７】
１１  観覧車
１２  構造体
１５  回転体
１４  回転アーム
１５  付帯設備
１６  ゴンドラ
２１  ゴンドラ外部
２２  キャビン
２５  天井
２４  床
２５  壁
２６  扉
２７  座席
２８  窓
３０  室内照明
３１  照明制御手段
３２  発光体
３３  点灯制御部
３４  情報制御部
３５  情報取得部
３６  センサ
３７  センサ制御部
３８  ハンドリング部
４１  透光部
５０  外部照明
５１  照明制御手段
５２  発光体
５５  点灯制御部
５４  情報制御部
５３  情報取得部
５６  センサ
５７  センサ制御部
５８  ハンドリング部
【図１】
2017113295.tif 000003
【図２】
2017113295.tif 000004
【図３】
2017113295.tif 000005
【図４】
2017113295.tif 000006
【図５】
2017113295.tif 000007
【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
複数のゴンドラと、前記ゴンドラを支持する構造体とを備えた観覧車において、
前記ゴンドラは、前記ゴンドラの乗客が搭乗するキャビン内を照らす室内照明と、前記室内照明の光を変更する照明制御手段とを備え、
前記室内照明は、異なる色の光を発する複数の発光体を備え、
前記照明制御手段により前記室内照明の点灯状態を変化させるように構成され、
前記照明制御手段は、前記室内照明の点灯状態を制御する点灯制御部と、前記点灯状態を変化させる元となる情報を取得する情報取得部とを備え、
前記情報取得部は、センサを備え、
前記照明制御手段は、前記センサによる検知結果による情報を、前記発光体の点灯状態を決定する点灯パターン情報に変換するよう構成され、
前記点灯制御部は、前記発光体の点灯状態を制御するものであり、前記情報取得部により得られた情報に基づき、前記発光体の点灯状態を変化させるように構成されたことを特徴とする観覧車。
【請求項２】
前記センサは前記乗客が持つことができるハンドリング部に備えられたことを特徴とする請求項１に記載の観覧車。
【請求項３】
複数のゴンドラと、前記ゴンドラを支持する構造体とを備えた観覧車において、
前記ゴンドラは、前記ゴンドラの乗客が搭乗するキャビン内を照らす室内照明と、前記室内照明の光を変更する照明制御手段とを備え、
前記照明制御手段により前記室内照明の点灯状態を変化させるように構成され、
前記キャビンの外側における前記ゴンドラの外部と前記構造体との少なくとも何れか一方に設けられた外部照明を備え、
前記照明制御手段は、前記室内照明の光と前記外部照明の光との双方の光を変更するものであることを特徴とする観覧車。
【請求項４】
前記キャビンの外側における前記ゴンドラの外部と前記構造体との少なくとも何れか一方に設けられた外部照明を備え、
前記照明制御手段は、前記室内照明の光と前記外部照明の光との双方の光を変更するものであることを特徴とする請求項１又は２に記載の観覧車。
【請求項５】
前記ゴンドラは、前記室内照明の光を外部に透過させることができる透光部を備え、前記室内照明の点灯状態の変化が地上から視認できるように構成されたことを特徴とする請求項１〜４の何れかに記載の観覧車。
【請求項６】
複数のゴンドラと、前記ゴンドラを支持する構造体とを備えた観覧車において、
前記構造体と前記ゴンドラとの少なくとも何れか一方の外部に、外部に向けて発光する外部照明を備え、
前記外部照明の光を変更する照明制御手段とを備え、
前記照明制御手段は、観衆と前記ゴンドラの乗客との少なくとも何れか一方が有する情報取得部から得られた情報に基づき、前記外部照明の点灯状態を変化させるように構成されたことを特徴とする観覧車。
【請求項７】
前記照明制御手段は、前記外部照明の点灯状態を制御する点灯制御部と、前記点灯状態を変化させる元となる情報を取得する情報取得部とを備え、
前記情報取得部は、前記観衆と前記乗客との少なくとも何れか一方が持つことができるハンドリング部に備えられ、
前記点灯制御部は、前記情報取得部により得られた情報に基づき、前記外部照明の点灯状態を変化させるように構成されたことを特徴とする請求項６に記載の観覧車。
【請求項８】
前記ゴンドラは、前記ゴンドラの乗客が搭乗するキャビン内を照らす室内照明を備え、
前記照明制御手段は、前記室内照明の光と前記外部照明の光との双方の光を変更するものであることを特徴とする請求項６又は７に記載の観覧車。
【手続補正２】
【補正対象書類名】明細書
【補正対象項目名】００１２
【補正方法】変更
【補正の内容】
【００１２】
また、前記センサは、種々の形態を採ることができるが、例えば、前記乗客が持つことができるハンドリング部に備えることも可能である。
そして、前記ゴンドラは、前記室内照明の光を外部に透過させることができる透光部を備え、前記室内照明の点灯状態の変化が地上から視認できるように構成されることによって、乗客と観衆とが共に楽しむことができる観覧車を提供することができる。
【手続補正書】
【提出日】平成28年12月19日(2016.12.19)
【手続補正１】
【補正対象書類名】特許請求の範囲
【補正対象項目名】全文
【補正方法】変更
【補正の内容】
【特許請求の範囲】
【請求項１】
複数のゴンドラと、前記ゴンドラを支持する構造体とを備えた観覧車において、
前記ゴンドラの乗客が搭乗するキャビン内を照らす室内照明と、前記室内照明の光を変更する照明制御手段とを備え、
前記室内照明は、異なる色の光を発する複数の発光体を備え、
前記照明制御手段により前記室内照明の点灯状態を変化させるように構成され、
前記照明制御手段は、前記室内照明の点灯状態を制御する点灯制御部と、前記点灯状態を変化させる元となる情報を取得する情報取得部とを備え、
前記情報取得部は、前記乗客と観衆との少なくとも何れか一方が有するセンサを備えたスマートフォンとモバイル端末機器との少なくとも何れか一方から構成され、
前記照明制御手段は、前記センサによる検知結果による情報を、前記発光体の点灯状態を決定する点灯パターン情報に変換するよう構成され、
前記点灯制御部は、前記発光体の点灯状態を制御するものであり、前記情報取得部により得られた情報に基づき、前記発光体の点灯状態を変化させるように構成されたことを特徴とする観覧車。
【請求項２】
前記キャビンの外側における前記ゴンドラの外部と前記構造体との少なくとも何れか一方に設けられた外部照明を備え、
前記照明制御手段は、前記室内照明の光と前記外部照明の光との双方の光を変更するものであることを特徴とする請求項１に記載の観覧車。
【請求項３】
複数のゴンドラと、前記ゴンドラを支持する構造体とを備えた観覧車において、
前記ゴンドラは、前記ゴンドラの乗客が搭乗するキャビン内を照らす室内照明と、前記室内照明の光を変更する照明制御手段とを備え、
前記照明制御手段により前記室内照明の点灯状態を変化させるように構成され、
前記キャビンの外側における前記ゴンドラの外部と前記構造体との少なくとも何れか一方に設けられた外部照明を備え、
前記照明制御手段は、前記点灯状態を変化させる元となる情報を取得する情報取得部とを備え、
前記情報取得部は、前記乗客が有しているスマートフォンとモバイル端末機器との少なくとも何れか一方によって構成され、
前記照明制御手段は、前記室内照明の光と前記外部照明の光との双方の光を変更するものであることを特徴とする観覧車。
【請求項４】
前記ゴンドラは、前記室内照明の光を外部に透過させることができる透光部を備え、前記前記室内照明の点灯状態の変化が地上から視認できるように構成されたことを特徴とする請求項１〜３の何れかに記載の観覧車。
【請求項５】
複数のゴンドラと、前記ゴンドラを支持する構造体とを備えた観覧車において、
前記構造体と前記ゴンドラとの少なくとも何れか一方の外部に、外部に向けて発光する外部照明を備え、
前記外部照明の光を変更する照明制御手段とを備え、
前記照明制御手段は、観衆と前記ゴンドラの乗客との少なくとも何れか一方が有しているスマートフォンとモバイル端末機器との少なくとも何れか一方によって構成された情報取得部から得られた情報に基づき、前記外部照明の点灯状態を変化させるように構成されたことを特徴とする観覧車。
【請求項６】
前記照明制御手段は、前記外部照明の点灯状態を制御する点灯制御部と、前記点灯状態を変化させる元となる情報を取得する情報取得部とを備え、
前記情報取得部は、前記スマートフォンと前記モバイル端末機器との少なくとも何れか一方によって構成され、
前記点灯制御部は、前記情報取得部により得られた情報に基づき、前記外部照明の点灯状態を変化させるように構成されたことを特徴とする請求項５に記載の観覧車。
【請求項７】
前記ゴンドラは、前記ゴンドラの乗客が搭乗するキャビン内を照らす室内照明を備え、
前記照明制御手段は、前記室内照明の光と前記外部照明の光との双方の光を変更するものであることを特徴とする請求項５又は６に記載の観覧車。
【手続補正２】
【補正対象書類名】明細書
【補正対象項目名】００１０
【補正方法】変更
【補正の内容】
【００１０】
前記照明制御手段は、前記室内照明の点灯状態を制御する点灯制御部と、前記点灯状態を変化させる元となる情報を取得する情報取得部とを備えたものとして実施することができる。前記点灯制御部は、前記情報取得部により得られた情報に基づき、前記室内照明の点灯状態を変化させるように構成され、発明を実施するための形態に記載したとおり種々の形態で実施することができるが、本願の各請求項に記載の発明にあっては、観衆と前記ゴンドラの乗客との少なくとも何れか一方が有しているスマートフォンとモバイル端末機器との少なくとも何れか一方によって構成されるものである。
【手続補正書】
【提出日】平成29年5月9日(2017.5.9)
【手続補正１】
【補正対象書類名】特許請求の範囲
【補正対象項目名】全文
【補正方法】変更
【補正の内容】
【特許請求の範囲】
【請求項１】
複数のゴンドラと、前記ゴンドラを支持する構造体とを備えた観覧車において、
前記ゴンドラの乗客が搭乗するキャビン内を照らす室内照明と、前記室内照明の光を変更する照明制御手段とを備え、
前記室内照明は、異なる色の光を発する複数の発光体を備え、
前記照明制御手段により前記室内照明の点灯状態を変化させるように構成され、
前記照明制御手段は、前記室内照明の点灯状態を制御する点灯制御部と、前記点灯状態を変化させる元となる情報を取得する情報取得部とを備え、
前記情報取得部は、前記乗客と観衆との少なくとも何れか一方が有する情報端末からの情報を受け取る接続手段を備え、
前記情報端末は、センサを備えたスマートフォンとモバイル端末機器との少なくとも何れか一方から構成され、
前記照明制御手段は、前記センサによる検知結果による情報を、前記発光体の点灯状態を決定する点灯パターン情報に変換するよう構成され、
前記点灯制御部は、前記発光体の点灯状態を制御するものであり、前記情報取得部により得られた情報に基づき、前記発光体の点灯状態を変化させるように構成されたことを特徴とする観覧車。
【請求項２】
前記キャビンの外側における前記ゴンドラの外部と前記構造体との少なくとも何れか一方に設けられた外部照明を備え、
前記照明制御手段は、前記室内照明の光と前記外部照明の光との双方の光を変更するものであることを特徴とする請求項１に記載の観覧車。
【請求項３】
複数のゴンドラと、前記ゴンドラを支持する構造体とを備えた観覧車において、
前記ゴンドラは、前記ゴンドラの乗客が搭乗するキャビン内を照らす室内照明と、前記室内照明の光を変更する照明制御手段とを備え、
前記照明制御手段により前記室内照明の点灯状態を変化させるように構成され、
前記キャビンの外側における前記ゴンドラの外部と前記構造体との少なくとも何れか一方に設けられた外部照明を備え、
前記照明制御手段は、前記点灯状態を変化させる元となる情報を取得する情報取得部とを備え、
前記情報取得部は、前記乗客と観衆との少なくとも何れか一方が有する情報端末からの情報を受け取る接続手段を備え、
前記情報端末は、センサを備えたスマートフォンとモバイル端末機器との少なくとも何れか一方から構成され、
前記照明制御手段は、前記室内照明の光と前記外部照明の光との双方の光を変更するものであることを特徴とする観覧車。
【請求項４】
前記ゴンドラは、前記室内照明の光を外部に透過させることができる透光部を備え、前記前記室内照明の点灯状態の変化が地上から視認できるように構成されたことを特徴とする請求項１〜３の何れかに記載の観覧車。
【請求項５】
複数のゴンドラと、前記ゴンドラを支持する構造体とを備えた観覧車において、
前記構造体と前記ゴンドラとの少なくとも何れか一方の外部に、外部に向けて発光する外部照明を備え、
前記外部照明の光を変更する照明制御手段とを備え、
前記照明制御手段は、観衆と前記ゴンドラの乗客との少なくとも何れか一方が有している情報端末からの情報を受け取る接続手段を備えた情報取得部を介して得られた前記情報端末からの前記情報に基づき、前記外部照明の点灯状態を変化させるように構成され、
前記情報端末は、スマートフォンとモバイル端末機器との少なくとも何れか一方によって構成されたことを特徴とする観覧車。
【請求項６】
前記照明制御手段は、前記外部照明の点灯状態を制御する点灯制御部を備え、
前記点灯制御部は、前記情報取得部を介して得られた前記情報端末からの前記情報に基づき、前記外部照明の点灯状態を変化させるように構成されたことを特徴とする請求項５に記載の観覧車。
【請求項７】
前記ゴンドラは、前記ゴンドラの乗客が搭乗するキャビン内を照らす室内照明を備え、
前記照明制御手段は、前記室内照明の光と前記外部照明の光との双方の光を変更するものであることを特徴とする請求項５又は６に記載の観覧車。
【手続補正２】
【補正対象書類名】明細書
【補正対象項目名】００１０
【補正方法】変更
【補正の内容】
【００１０】
前記照明制御手段は、前記室内照明の点灯状態を制御する点灯制御部と、前記点灯状態を変化させる元となる情報を取得する情報取得部とを備えたものとして実施することができる。前記点灯制御部は、前記情報取得部により得られた情報に基づき、前記室内照明の点灯状態を変化させるように構成され、発明を実施するための形態に記載したとおり種々の形態で実施することができるが、本願の各請求項に記載の発明にあっては、前記情報取得部は、観衆と前記ゴンドラの乗客との少なくとも何れか一方が有しているスマートフォンとモバイル端末機器との少なくとも何れか一方によって構成された情報端末に対する接続手段を備えたものとして実施される。